(57)【要約】      （修正有）【課題】自動車保険契約書や損害保険契約書など各種保険契約書または契約申込書のセキュリティ性を高め、偽造行為を低める。【解決手段】高度のセキュリティ性を保持するウォーターマークを漉き入れた用紙を、セキュリティ性を付与すべき既製の契約書または契約申込書のお客様控え５と容易に一体化できるように、端部または中央部にリボン状に粘着剤４を塗布し、その粘着剤層を完全に覆うように離形紙２を貼着したことを特徴とする表紙・裏表紙または用紙カバーを構成するセキュリティ用紙を提供する。【選択図】図２
0003136774.tif 000002
【実用新案登録請求の範囲】
【請求項１】
損害保険、生命保険、自動車保険、クレジットカード、消費者金融等の契約書または契約申込書等の帳票にセキュリティ付与のために表紙または裏表紙として使用されるセキュリティ用紙であって、その端部または中央部に粘着剤または糊剤が塗布され、粘着剤または糊剤が塗布された部位が短冊状離型紙により完全に被覆されており、かつ、前記表紙または裏表紙の一部分または大部分は製紙工程においてセキュリティ性を付与された用紙、または印刷工程においてセキュリティ性を付与された用紙であり、前記帳票類に使用する直前、短冊状離型紙をはがし、離型紙をはがした部分に帳票類の端部を完全にのせて接着し、帳票類の一部を構成する表紙または裏表紙あるいは用紙カバーとして使用することができるセキュリティ用紙。
【請求項２】
製紙工程において、ウォーターマークを漉きこむことによりセキュリティ性を付与された用紙を用いた請求項１記載のセキュリティ用紙。
【請求項３】
印刷工程において、視角により色が違って見えるインキ、温度の変化により発色が変わるインキ、紫外線により検知される蛍光性インキまたは赤外線により検知される特殊インキを用いて印刷することによりセキュリティ性を付与された用紙を用いた請求項１乃至２のいずれか一項に記載のセキュリティ用紙
【請求項４】
印刷工程において、印刷後複写すれば元の印刷した用紙にはなかった文字または地紋が現れるような印刷技術を施すことによりセキュリティ性を付与された用紙を用いた請求項１乃至３のいずれか一項に記載のセキュリティ用紙。
【請求項５】
粘着剤としてホットメルト粘着剤を、フレキソ方式で塗布した上記請求項１乃至４のいずれか一項に記載のセキュリティ用紙。
【請求項６】
契約書または契約書等の帳票にすでに表紙または裏表紙がある場合においては、表紙または裏表紙のカバーとして使用することができる上記請求項１乃至５のいずれか一項に記載のセキュリティ用紙。
【請求項７】
表紙または裏表紙として使用される用紙の端部または中央部に直線状の折り加工を行って、容易に折れやすくした上記請求項１乃至６のいずれか一項に記載のセキュリティ用紙。
【請求項８】
紙質が上質紙または再生紙である上記請求項１乃至７のいずれか一項に記載のセキュリティ用紙。
【考案の詳細な説明】
【技術分野】
【０００１】  この考案は、損害保険、生命保険、自動車保険等の契約書や契約申込書などのセキュリティを要する帳票類に強固に糊付けして一体化し、帳票類の表紙または裏表紙を構成し、前記帳票類がそれ自体では持っていない高度のセキュリティ機能を付与することができるセキュリティ用紙に関するものである。
【背景技術】
【０００２】  従来、損害保険、生命保険、自動車保険等の契約書や契約申込書などのセキュリティを要する帳票類にセキュリティを付与する方法として、帳票用紙の一部または全部に、複写すると目視では認識できない潜像文字が複写すると目視できるようになるなどの印刷技術を駆使した用紙を使うもの（例えば特許文献１および２参照）がある。また、磁性スレッドを漉きこんだ用紙を使うもの（たとえば特許文献３参照）がある。さらに、曝される温度により発色するインキで印刷した用紙を使うもの（例えば特許文献４参照）がある。【０００３】
【特許文献１】登録実用新案第３０２６４５８号
【特許文献２】特開２００４−２６２１６７
【特許文献３】特開２００５−２３２６１７
【特許文献４】登録実用新案第３０９６１８６号
【０００４】  しかし、これらは次のような問題があった。すなわち、目視では認識できない潜像文字が複写すると目視できるようになるなどの印刷技術を駆使した用紙は同様の印刷技術を駆使すれば再現できるため、偽造される場合があり、帳票の使用目的により十分高いセキュリティ性があるとはいえない。また、磁性スレッドを漉きこんだ用紙は大量に使用する場合などには高価につく問題が生じる。さらに、曝される温度により発色するインキで印刷した用紙を使うものは同様の発色インキを使用して印刷するなど容易に偽造される惧れがあり、当該帳票類の種類によってはセキュリティ性が低い問題があった。【０００５】  なお、以上の技術は、偽造防止や真贋判定機能などのセキュリティ性を付与せず作成された帳票に、新たにセキュリティ性を付与するものや、すでに作成されたセキュリティ性のある帳票類に対して、新たなセキュリティ性を付与し、全体として帳票書類のセキュリティ性を強化するような具体的考案を示すものではない。
本考案は、以上のような帳票類のセキュリティ性が低い欠点をなくすと同時に、これまでセキュリティ性を保持していない帳票類に対しても、セキュリティを付与することができるように考案されたものである。
【考案の開示】
【考案が解決しようとする課題】
【０００６】  セキュリティ性のない既存の帳票類にセキュリティ性を付与することも可能であり、かつセキュリティ性の低い帳票類に高度のセキュリティを付加することもできること。
【課題を解決するための手段】
【０００７】  本考案では、用紙は容易に視認性があり、かつ、偽造防止性の困難なウォーターマークをいれた紙を使い、契約書や契約申込書などの帳票に対し、接着により容易に表紙または裏表紙となることができるように当該用紙の一部にホットメルト接着剤を貼着し、貼着した接着剤層の上には粘着防止用の離型紙で被い、セキュリティ性を付加すべき帳票に接着する直前に離型紙を剥がして容易に接着することができるようにしたことを特徴とする用紙を提供する。
【考案の効果】
【０００８】  本考案の用紙を、その接着剤層を被っている離型紙をはがして接着剤層を露にし、セキュリティ性のない帳票類に容易に接着できた。一体となった帳票類は、新たな表紙または裏表紙において、明らかな視認性があり、かつ、高度なセキュリティ性能を保持するため全体としてセキュリティ性の高い帳票にグレードアップした。【０００９】  本考案によれば、新たに表紙または裏表紙になる用紙には、あらかじめ、表紙または裏表紙にふさわしい印刷を施せば、一層、表紙または裏表紙にふさわしいものとなる。【００１０】  本考案では、粘着剤の塗布において、インクにおける印刷手法と全く同じフレキソ方式を採用し、ホットメルト粘着剤を使用した。この方法によれば、粘着剤を自由なデザインで塗布することができ、セキュリティ性を高めるべき帳票類への接着強度を変えることができる。
【考案を実施するための最良の形態】
【００１１】  以下、本考案の実施例１について説明する。
損害保険契約申込書、自動車保険申込書、火災保険契約申込書などの申込書は、一般的に複葉の帳票用紙からなり、正契約書のほかに、取扱店用控え、代理店控え、お客様控えなどが一体となっており、必要事項を記載・捺印後、お客様は単葉または複葉の資料をお客様控えとして保持することが一般的である。これらの申込書控えは非常に貴重であり、偽造されてはならないものであるが、ノーカーボン紙を使う点では一定の偽造防止効果はあるが、そのままではセキュリティ性は高いとはいえず、本考案のセキュリティ用紙を利用すればセキュリティ性を高めることができる。すなわち、セキュリティ性を高めたい書類をきっちりと重ねてホッチキスで止める、あるいは、糊を使い接着するなどして製本化したものの端部を、ウォーターマークなどを漉き入れた高度セキュリティ性のある用紙であって、当該平面図が図１（ａ）、当該断面図が図１（ｂ）の構造を持つ用紙の離型紙を剥がして粘着剤層を露にした部分の右半分に乗せ、表紙・裏表紙または用紙カバー部の左端部をお客様控え等用紙の上に折り曲げ、図１（ｄ）のように一体化する。図１（ｃ）や図１（ｄ）の例では、簡略化のため、お客様控え等用紙は１枚の例を示しているが、通常複数枚の用紙を重ねて製本化した状態で適用し、図１（ｄ）のように端部の上下を粘着剤でしっかりと接着することにより、本考案のセキュリティ用紙がお客様控え等用紙と一体化し、お客様控え等用紙にセキュリティ性が付与される。【００１２】  また、端部中央の折り返しの間隙Ｌは適用対象とする製本化した帳票類の厚みに応じて変化させデザイン設計するが、頻度の高い枚数に応じて２種類または３種類の間隙をあらかじめ準備することもできる。【００１３】  本考案の高度のセキュリティ性はウォーターマークを漉きいれた用紙を使うことで得られる。この用紙は透過光のみならず、反射光でも視認性が容易に得られる。【００１４】  本考案の実施例２について説明する。本考案は、図２（ａ）の大きさの約半分のサイズの契約書帳票に適用して、セキュリティ性を付加すべきお客様控え等と一体化させることによりお客様控え等書類の表紙と裏表紙、またはカバーを形成する。【００１５】  本実施例２ではセキュリティ用紙のリボン状中央部に谷折り加工をした粘着剤塗布部分の上に離型紙が貼着されており、図２（ａ）は平面図を表す。図２（ｂ）は実施例２のＹ−Ｙ’線位置での実寸法を無視した断面図である。お客様控え等の書類が準備できれば、図２のリボン状中央部上の離形紙をはぎ取り、リボン状に貼着された粘着剤の右半分へ契約書または契約申込書の控え等の端部を図２（ｃ）のように置き、セキュリティ用紙を中央部から図２（ｃ）の粘着剤とともに折り返し、お客様控え等用紙に図２（ｄ）のように密着させる。このように容易にセキュリティ性の高いカバーと一体化することによりお客様控え等文書は高度のセキュリティ性を獲得できる。【００１６】  実施例２において、上記のように一体化した表紙カバーや裏表紙カバーには、あらかじめ表紙や裏表紙にふさわしい印刷やＰＲとしての印刷あるいは注意書きなどを施すことが可能である。【００１７】  セキュリティ性を高めるべき当該の契約書自体が、ノーカーボン紙を使用していること以外に何らかのセキュリティ性をあらかじめ保持している場合、さらにセキュリティを高める目的で本考案を使う場合は、本考案に用いるセキュリティ用紙として必ずしも高度のセキュリティ性をもったウォーターマーク紙を使う必要はなく、請求項３乃至４で述べた印刷インキを使用したセキュリティ用紙または［０００３］で述べた特許文献にあるようなセキュリティ性を付与されたセキュリティ用紙を使うものでもよい。【００１８】  本考案実施例１乃至例２における表紙や裏表紙またはカバーは、単票としてノンインパクトプリンタなどにより印字することができるのみならず、両端にスプロケット穴を設けてラインプリンタなどにより連続印字できる。
【図面の簡単な説明】
【００１９】
【図１】本考案に係わる実施例１を示す全体図である。（ａ）は本考案の実施例１の平面図である。（ｂ）は（ａ）のＸ−Ｘ’線における断面図であり、（ｃ）は  お客様控え等用紙を粘着剤に接着させたときの断面図である。（ｄ）は表紙・裏表紙または用紙カバーとお客様控え等用紙とが一体化した折り返し部分付近を描いた寸法を無視した拡大断面図である。
【図２】本考案に係わる実施例２を示す平面図である。（ａ）は本考案の表紙・裏表紙または用紙カバーの平面図である。（ｂ）は（ａ）のＹ−Ｙ’線における断面図である。（ｃ）はお客様控え等用紙の必要な枚数を用紙カバー中央部粘着剤層上に置いた断面図であり、（ｄ）は表紙・裏表紙または用紙カバーとお客様控え等用紙が一体化した寸法を無視した拡大断面図である。
【符号の説明】
【００２０】１  表紙・裏表紙または用紙カバー
２  離型紙
３  折り加工部
４  粘着剤
５  お客様控え等用紙
６  折り返し端部
７  中央折り返し
【図１】
0003136774.tif 000003
【図２】
0003136774.tif 000004